(57)【特許請求の範囲】
【請求項１】
吸入口及び吹出口を有するコンベクタ本体と、前記コンベクタ本体内に設けられ、前記吸入口を通して吸入された空気を前記吹出口に導くための空気通路と、前記空気通路に設けられた熱交換器と、前記熱交換器に温熱媒体を供給するための熱源機と、前記吸入口を通して空気を吸入するためのファン手段と、前記空気通路を流れる空気中の水分を除去するための除湿手段と、を備えており、
前記除湿手段は、水分を吸収するための除湿剤が充填された除湿ロータと、前記除湿ロータからの高温多湿の気体を低温低湿の気体に再生するための再生用流路と、前記再生用流路における前記除湿ロータの上流側に配設された加熱手段と、前記再生用流路における前記除湿ロータの下流側に配設された凝縮器とを有し、前記除湿ロータは、所定方向に回動されて前記除湿剤によって水分を除湿する吸湿域及び吸着した水分を放出する再生域とを通して移動され、
前記吸入口には、第１の位置と第２の位置との間を移動自在に開閉部材が設けられ、前記第１の位置に位置するときには、前記開閉部材は前記吸入口の第１部分を開放し、前記第２の位置に位置するときには、前記開閉部材は前記吸入口の第２部分を開放し、
暖房運転時には、前記開閉部材が前記第１の位置に位置するとともに、前記熱源機及び前記ファン手段が作動され、前記熱源機からの温熱媒体が前記熱交換器を通して循環され、前記ファン手段によって前記吸入口の前記第１部分から吸入された空気は、前記空気通路を通して流れる間に前記熱交換器により加温され、
除湿運転時には、前記開閉部材が前記第２の位置に位置するとともに、前記除湿手段及び前記ファン手段が作動され、前記除湿手段の前記除湿ロータは、前記吸湿域及び前記再生域を通して移動され、前記再生用流路を通して前記再生域に流れる気体は前記加熱手段によって加熱され、また前記再生域からの気体は前記再生用流路を通して前記凝縮器に流れて気体中の水分が凝縮され、更に前記ファン手段によって前記吸入口の前記第２部分から吸入された空気は、前記熱交換器を通ることなく前記空気流路に流れ、前記吸湿域にて前記除湿ロータにより水分が吸湿されることを特徴とするファンコンベクタ。
【請求項２】
吸入口及び吹出口を有するコンベクタ本体と、前記コンベクタ本体内に設けられ、前記吸入口を通して吸入された空気を前記吹出口に導くための空気通路と、前記空気通路に設けられた熱交換器と、前記熱交換器に温熱媒体を供給するための熱源機と、前記吸入口を通して空気を吸入するためのファン手段と、前記空気通路を流れる空気中の水分を除去するための除湿手段と、を備えており、
前記除湿手段は、水分を吸収するための除湿剤が充填された除湿ロータと、前記除湿ロータからの高温多湿の気体を低温低湿の気体に再生するための再生用流路と、前記再生用流路における前記除湿ロータの上流側に配設された加熱手段と、前記再生用流路における前記除湿ロータの下流側に配設された凝縮器とを有し、前記除湿ロータは、所定方向に回動されて前記除湿剤によって水分を吸湿する吸湿域及び吸着した水分を放出する再生域とを通して移動され、
前記吸入口は、前記コンベクタ本体の第１部位に設けられた第１吸入口とその第２部位に設けられた第２吸入口から構成され、前記第１吸入口を通して吸入された空気は前記熱交換器を通って前記空気流路に流れ、前記第２吸入口を通して吸入された空気は前記熱交換器を通ることなく前記空気流路に流れ、
暖房運転時には、前記第１吸入口が開放されるとともに、前記熱源機及び前記ファン手段が作動され、前記熱源機からの温熱媒体が前記熱交換器を通して循環され、前記ファン手段によって前記第１吸入口から吸入された空気は、前記熱交換器及び前記空気通路を通して流れ、前記熱交換器を通して流れる間に加温され、
除湿運転時には、前記第２吸入口が開放されるとともに、前記除湿手段及び前記ファン手段が作動され、前記除湿手段の前記除湿ロータは、所定方向に回動されて前記吸湿域及び前記再生域を通して移動され、前記再生用流路を通して前記再生域に流れる気体は前記加熱手段によって加熱され、また前記再生域からの気体は前記再生用流路を通して前記凝縮器に流れて気体中の水分が凝縮され、更に前記ファン手段によって前記第２吸入口から吸入された空気は、前記熱交換器を通ることなく前記空気流路に流れ、前記吸湿域にて前記除湿ロータにより水分が吸湿されることを特徴とするファンコンベクタ。
【請求項３】
吸入口及び吹出口を有するコンベクタ本体と、前記コンベクタ本体内に設けられ、前記吸入口を通して吸入された空気を前記吹出口に導くための空気通路と、前記空気通路に設けられた熱交換器と、前記熱交換器に温熱媒体を供給するための熱源機と、前記吸入口を通して空気を吸入するためのファン手段と、前記空気通路を流れる空気中の水分を除去するための除湿手段と、を備えており、
前記除湿手段は、水分を吸収するための除湿剤が充填された除湿ロータと、前記除湿ロータからの高温多湿の気体を低温低湿の気体に再生するための再生用流路と、前記再生用流路における前記除湿ロータの上流側に配設された加熱手段と、前記再生用流路における前記除湿ロータの下流側に配設された凝縮器とを有し、前記除湿ロータは、所定方向に回動されて前記除湿剤によって水分を吸湿する吸湿域及び吸着した水分を放出する再生域とを通して移動され、
更に、前記空気通路には、第１の状態と第２状態とに切換自在である切換部材が設けられ、前記切換部材は、前記第１の状態にあるときには前記空気流路を流れる空気を前記除湿ロータを通して前記吹出口に導き、前記第２の状態にあるときには前記空気流路を流れる空気を前記除湿ロータを通ることなく前記吹出口に導き、
暖房運転時には、前記切換部材が前記第２の状態に保持されるとともに、前記熱源機及び前記ファン手段が作動され、前記熱源機からの温熱媒体が前記熱交換器を通して循環され、前記ファン手段によって前記吸入口から吸入された空気は、前記除湿ロータを通ることなく前記熱交換器及び前記空気通路を通して流れ、前記熱交換器を通して流れる間に加温され、
除湿運転時には、前記切換部材が前記第１の状態に保持されるとともに、前記除湿手段及び前記ファン手段が作動され、前記除湿手段の前記除湿ロータは、所定方向に回動されて前記吸湿域及び前記再生域を通して移動され、前記再生用流路を通して前記再生域に流れる気体は前記加熱手段によって加熱され、また前記再生域からの気体は前記再生用流路を通して前記凝縮器に流れて気体中の水分が凝縮され、更に前記ファン手段によって前記吸入口から吸入された空気は、前記空気流路及び前記除湿ロータを通して流れ、前記吸湿域にて前記除湿ロータにより水分が吸湿されることを特徴とするファンコンベクタ。
【請求項４】
吸入口及び吹出口を有するコンベクタ本体と、前記コンベクタ本体内に設けられ、前記吸入口を通して吸入された空気を前記吹出口に導くための空気通路と、前記空気通路に設けられた熱交換器と、前記熱交換器に熱媒体を供給するための熱源機と、前記吸入口を通して空気を吸入するためのファン手段と、前記空気通路を流れる空気中の水分を除去するための除湿手段と、を備えており、
前記熱源機は、熱媒体を加温するための燃焼バーナと、熱媒体を送給するための送給ポンプとを有し、前記燃焼バーナが作動したときには温熱媒体が前記熱交換器を通して循環され、前記燃焼バーナが非作動のときには冷熱媒体が前記熱交換器を通して循環され、
前記除湿手段は、水分を吸収するための除湿剤が充填された除湿ロータと、前記除湿ロータからの高温多湿の気体を低温低湿の気体に再生するための再生用流路と、前記再生用流路に配設された加熱手段と、を有し、前記再生用流路の特定部位は、前記熱交換器に関連して設けられ、前記除湿ロータは、所定方向に回動されて前記除湿剤によって水分を吸湿する吸湿域及び吸着した水分を放出する再生域を通して移動され、
暖房運転時には、前記熱源機の前記燃焼バーナ及び送給ポンプ並びに前記ファン手段が作動され、前記熱源機の前記燃焼バーナにより生成された温熱媒体が前記熱交換器を通して循環され、前記ファン手段によって前記吸入口から吸入された空気は、前記空気通路を通して流れる間に前記熱交換器により加温され、
除湿運転時には、前記熱源機の前記送給ポンプ、前記除湿手段及び前記ファン手段が作動され、前記熱源機からの冷熱媒体が前記熱交換器を通して循環され、前記除湿手段の前記除湿ロータは、所定方向に回動されて前記吸湿域及び前記再生域を通して移動され、前記再生用流路を通して前記再生域に流れる気体は前記加熱手段によって加熱され、また前記再生用流路を流れる前記再生域からの気体は、前記特定部位を流れる間に前記熱交換器を流れる冷熱媒体の冷熱を利用して凝縮され、更に前記ファン手段によって前記吸入口から吸入された空気は、前記空気流路及び前記除湿ロータを通して流れ、前記吸湿域にて前記除湿ロータにより水分が吸湿されることを特徴とするファンコンベクタ。
【請求項５】
前記再生用流路の前記特定部位には、水分を凝縮するための凝縮器が設けられ、前記再生用空気流路は、前記除湿ロータからの高温多湿の気体を前記凝縮器に導く第１再生流路と、前記凝縮器からの低温低湿の気体を前記除湿ロータに導く第２再生流路とを有し、前記加熱手段は第２再生流路に配設されており、前記凝縮器は、前記熱交換器を流れる冷熱媒体の冷熱を利用して冷却されることを特徴とする請求項４に記載のファンコンベクタ。
【請求項６】
前記除湿手段の前記凝縮器は、前記コンベクタ本体の前記空気流路内であって、前記熱交換器と前記除湿ロータとの間に配設されていることを特徴とする請求項４に記載のファンコンベクタ。
【発明の詳細な説明】
【技術分野】
【０００１】
本発明は、温水を利用して室内を暖房するファンコンベクタに関する。
【背景技術】
【０００２】
暖房装置の一つとしてファンコンベクタが知られている。このファンコンベクタは、吸入口及び吹出口を有するコンベクタ本体と、コンベクタ本体内に設けられ空気通路と、この空気通路に配設された熱交換器と、吸入口を通して空気を吸入するためのファン手段とを備え、吸入口を通して吸入された空気は空気通路を通して吹出口に導かれるように構成されている。このようなファンコンベクタは室内を暖房するときに用いられ、その暖房運転においては、ファン手段が所定方向に回転されるとともに、熱源機からの温水が熱交換器を通して循環され、空気流路を通して流れる空気が熱交換器において温水との間で熱交換され、熱交換によって温められた空気が吹出口から吹き出される。しかし、このようなファンコンベクタは暖房用途にのみ用いられ、除湿などのその他の用途に用いられることなかい。
【０００３】
一方、室内を除湿するための除湿機として種々のものが提案され、その一例として除湿ロータを用いたものが知られている（例えば、特許文献１参照）。この除湿機は、吸入口及び吹出口を有する除湿機本体を備え、この除湿機本体内に吸入口から吸入された空気を吹出口に導く空気通路が設けられ、この空気通路に除湿ロータが配設され、この除湿ロータは所定方向に回動されて吸湿域及び再生域を通して移動される。除湿ロータの再生域を通して再生用空気流路が設けられ、この再生用空気流路を通して再生用空気が循環される。再生用空気流路における除湿ロータの上流側に加熱ヒータが設けられ、またその除湿ロータの下流側に凝縮器が設けられる。
【０００４】
この除湿機においては、吸入口から吸入された空気は空気通路を通り、除湿ロータの吸湿域を通して流れ、この吸湿域において空気中の水分が除湿ロータの除湿剤に吸着され、水分が除去された空気が吹出口から機外に吹き出される。また、吸湿域にて水分を吸着した除湿ロータが再生域に移動すると、除湿剤に吸着された水分が放出され、除湿剤の再生が行われる。即ち、加熱ヒータにて加熱された再生用空気が、再生域にて除湿ロータの除湿剤を通して流れ、除湿剤に吸着された水分が再生用空気中に放出され、このようにして除湿剤の再生が行われる。一方、放出された水分を含む高温多湿の空気は、再生用空気流路を通して凝縮器に流れる。この除湿機では、吸入口から吸入された空気が凝縮器を通して流れるように構成されており、従って、この凝縮器においては、吸入空気によって再生用空気が冷却され、この冷却作用によって空気中の水分が凝縮して除去され、このようにして水分が除去された低温低湿の空気が再生用空気流路を通して加熱ヒータに送られ、このようにして除湿ロータの除湿剤の再生が行われる。
【０００５】
【特許文献１】特許第３９３３６０６号公報
【発明の開示】
【発明が解決しようとする課題】
【０００６】
日本のように冬の時期には寒く、梅雨の時期には多湿となる環境においては、暖房用にファンコンベクタを購入しようとすると、従来のものでは除湿機能付きのものがないために、除湿も希望すると、専用の除湿機が更に必要となり、ファンコンベクタ及び除湿機の双方を購入しなければならないという問題がある。このようなことから、除湿機能付きのファンコンベクタの実現が望まれている。また、除湿機能付きのファンコンベクタを開発する場合、効率良く安定して除湿することができる除湿機能付きファンコンベクタの実源が望まれる。
【０００７】
本発明の目的は、室内の除湿を行うことができるファンコンベクタを提供することである。
また、本発明の他の目的は、除湿を効率良く安定して行うことができるファンコンベクタを提供することである。
【課題を解決するための手段】
【０００８】
本発明の請求項１に記載のファンコンベクタは、吸入口及び吹出口を有するコンベクタ本体と、前記コンベクタ本体内に設けられ、前記吸入口を通して吸入された空気を前記吹出口に導くための空気通路と、前記空気通路に設けられた熱交換器と、前記熱交換器に温熱媒体を供給するための熱源機と、前記吸入口を通して空気を吸入するためのファン手段と、前記空気通路を流れる空気中の水分を除去するための除湿手段と、を備えており、
前記除湿手段は、水分を吸収するための除湿剤が充填された除湿ロータと、前記除湿ロータからの高温多湿の気体を低温低湿の気体に再生するための再生用流路と、前記再生用流路における前記除湿ロータの上流側に配設された加熱手段と、前記再生用流路における前記除湿ロータの下流側に配設された凝縮器とを有し、前記除湿ロータは、所定方向に回動されて前記除湿剤によって水分を除湿する吸湿域及び吸着した水分を放出する再生域とを通して移動され、
前記吸入口には、第１の位置と第２の位置との間を移動自在に開閉部材が設けられ、前記第１の位置に位置するときには、前記開閉部材は前記吸入口の第１部分を開放し、前記第２の位置に位置するときには、前記開閉部材は前記吸入口の第２部分を開放し、
暖房運転時には、前記開閉部材が前記第１の位置に位置するとともに、前記熱源機及び前記ファン手段が作動され、前記熱源機からの温熱媒体が前記熱交換器を通して循環され、前記ファン手段によって前記吸入口の前記第１部分から吸入された空気は、前記空気通路を通して流れる間に前記熱交換器により加温され、
除湿運転時には、前記開閉部材が前記第２の位置に位置するとともに、前記除湿手段及び前記ファン手段が作動され、前記除湿手段の前記除湿ロータは、前記吸湿域及び前記再生域を通して移動され、前記再生用流路を通して前記再生域に流れる気体は前記加熱手段によって加熱され、また前記再生域からの気体は前記再生用流路を通して前記凝縮器に流れて気体中の水分が凝縮され、更に前記ファン手段によって前記吸入口の前記第２部分から吸入された空気は、前記熱交換器を通ることなく前記空気流路に流れ、前記吸湿域にて前記除湿ロータにより水分が吸湿されることを特徴とする。
また、本発明の請求項２に記載のファンコンベクタは、吸入口及び吹出口を有するコンベクタ本体と、前記コンベクタ本体内に設けられ、前記吸入口を通して吸入された空気を前記吹出口に導くための空気通路と、前記空気通路に設けられた熱交換器と、前記熱交換器に温熱媒体を供給するための熱源機と、前記吸入口を通して空気を吸入するためのファン手段と、前記空気通路を流れる空気中の水分を除去するための除湿手段と、を備えており、
前記除湿手段は、水分を吸収するための除湿剤が充填された除湿ロータと、前記除湿ロータからの高温多湿の気体を低温低湿の気体に再生するための再生用流路と、前記再生用流路における前記除湿ロータの上流側に配設された加熱手段と、前記再生用流路における前記除湿ロータの下流側に配設された凝縮器とを有し、前記除湿ロータは、所定方向に回動されて前記除湿剤によって水分を吸湿する吸湿域及び吸着した水分を放出する再生域とを通して移動され、
前記吸入口は、前記コンベクタ本体の第１部位に設けられた第１吸入口とその第２部位に設けられた第２吸入口から構成され、前記第１吸入口を通して吸入された空気は前記熱交換器を通って前記空気流路に流れ、前記第２吸入口を通して吸入された空気は前記熱交換器を通ることなく前記空気流路に流れ、
暖房運転時には、前記第１吸入口が開放されるとともに、前記熱源機及び前記ファン手段が作動され、前記熱源機からの温熱媒体が前記熱交換器を通して循環され、前記ファン手段によって前記第１吸入口から吸入された空気は、前記熱交換器及び前記空気通路を通して流れ、前記熱交換器を通して流れる間に加温され、
除湿運転時には、前記第２吸入口が開放されるとともに、前記除湿手段及び前記ファン手段が作動され、前記除湿手段の前記除湿ロータは、所定方向に回動されて前記吸湿域及び前記再生域を通して移動され、前記再生用流路を通して前記再生域に流れる気体は前記加熱手段によって加熱され、また前記再生域からの気体は前記再生用流路を通して前記凝縮器に流れて気体中の水分が凝縮され、更に前記ファン手段によって前記第２吸入口から吸入された空気は、前記熱交換器を通ることなく前記空気流路に流れ、前記吸湿域にて前記除湿ロータにより水分が吸湿されることを特徴とする。
また、本発明の請求項３に記載のファンコンベクタは、吸入口及び吹出口を有するコンベクタ本体と、前記コンベクタ本体内に設けられ、前記吸入口を通して吸入された空気を前記吹出口に導くための空気通路と、前記空気通路に設けられた熱交換器と、前記熱交換器に温熱媒体を供給するための熱源機と、前記吸入口を通して空気を吸入するためのファン手段と、前記空気通路を流れる空気中の水分を除去するための除湿手段と、を備えており、
前記除湿手段は、水分を吸収するための除湿剤が充填された除湿ロータと、前記除湿ロータからの高温多湿の気体を低温低湿の気体に再生するための再生用流路と、前記再生用流路における前記除湿ロータの上流側に配設された加熱手段と、前記再生用流路における前記除湿ロータの下流側に配設された凝縮器とを有し、前記除湿ロータは、所定方向に回動されて前記除湿剤によって水分を吸湿する吸湿域及び吸着した水分を放出する再生域とを通して移動され、
更に、前記空気通路には、第１の状態と第２状態とに切換自在である切換部材が設けられ、前記切換部材は、前記第１の状態にあるときには前記空気流路を流れる空気を前記除湿ロータを通して前記吹出口に導き、前記第２の状態にあるときには前記空気流路を流れる空気を前記除湿ロータを通ることなく前記吹出口に導き、
暖房運転時には、前記切換部材が前記第２の状態に保持されるとともに、前記熱源機及び前記ファン手段が作動され、前記熱源機からの温熱媒体が前記熱交換器を通して循環され、前記ファン手段によって前記吸入口から吸入された空気は、前記除湿ロータを通ることなく前記熱交換器及び前記空気通路を通して流れ、前記熱交換器を通して流れる間に加温され、
除湿運転時には、前記切換部材が前記第１の状態に保持されるとともに、前記除湿手段及び前記ファン手段が作動され、前記除湿手段の前記除湿ロータは、所定方向に回動されて前記吸湿域及び前記再生域を通して移動され、前記再生用流路を通して前記再生域に流れる気体は前記加熱手段によって加熱され、また前記再生域からの気体は前記再生用流路を通して前記凝縮器に流れて気体中の水分が凝縮され、更に前記ファン手段によって前記吸入口から吸入された空気は、前記空気流路及び前記除湿ロータを通して流れ、前記吸湿域にて前記除湿ロータにより水分が吸湿されることを特徴とする。
【０００９】
また、本発明の請求項４に記載のファンコンベクタは、吸入口及び吹出口を有するコンベクタ本体と、前記コンベクタ本体内に設けられ、前記吸入口を通して吸入された空気を前記吹出口に導くための空気通路と、前記空気通路に設けられた熱交換器と、前記熱交換器に熱媒体を供給するための熱源機と、前記吸入口を通して空気を吸入するためのファン手段と、前記空気通路を流れる空気中の水分を除去するための除湿手段と、を備えており、
前記熱源機は、熱媒体を加温するための燃焼バーナと、熱媒体を送給するための送給ポンプとを有し、前記燃焼バーナが作動したときには温熱媒体が前記熱交換器を通して循環され、前記燃焼バーナが非作動のときには冷熱媒体が前記熱交換器を通して循環され、
前記除湿手段は、水分を吸収するための除湿剤が充填された除湿ロータと、前記除湿ロータからの高温多湿の気体を低温低湿の気体に再生するための再生用流路と、前記再生用流路に配設された加熱手段と、を有し、前記再生用流路の特定部位は、前記熱交換器に関連して設けられ、前記除湿ロータは、所定方向に回動されて前記除湿剤によって水分を吸湿する吸湿域及び吸着した水分を放出する再生域を通して移動され、
暖房運転時には、前記熱源機の前記燃焼バーナ及び送給ポンプ並びに前記ファン手段が作動され、前記熱源機の前記燃焼バーナにより生成された温熱媒体が前記熱交換器を通して循環され、前記ファン手段によって前記吸入口から吸入された空気は、前記空気通路を通して流れる間に前記熱交換器により加温され、
除湿運転時には、前記熱源機の前記送給ポンプ、前記除湿手段及び前記ファン手段が作動され、前記熱源機からの冷熱媒体が前記熱交換器を通して循環され、前記除湿手段の前記除湿ロータは、所定方向に回動されて前記吸湿域及び前記再生域を通して移動され、前記再生用流路を通して前記再生域に流れる気体は前記加熱手段によって加熱され、また前記再生用流路を流れる前記再生域からの気体は、前記特定部位を流れる間に前記熱交換器を流れる冷熱媒体の冷熱を利用して凝縮され、更に前記ファン手段によって前記吸入口から吸入された空気は、前記空気流路及び前記除湿ロータを通して流れ、前記吸湿域にて前記除湿ロータにより水分が吸湿されることを特徴とする。
【００１０】
また、本発明の請求項５に記載のファンコンベクタでは、前記再生用流路の前記特定部位には、水分を凝縮するための凝縮器が設けられ、前記再生用空気流路は、前記除湿ロータからの高温多湿の気体を前記凝縮器に導く第１再生流路と、前記凝縮器からの低温低湿の気体を前記除湿ロータに導く第２再生流路とを有し、前記加熱手段は第２再生流路に配設されており、前記凝縮器は、前記熱交換器を流れる冷熱媒体の冷熱を利用して冷却されることを特徴とする。
【００１１】
また、本発明の請求項６に記載のファンコンベクタでは、前記除湿手段の前記凝縮器は、前記コンベクタ本体の前記空気流路内であって、前記熱交換器と前記除湿ロータとの間に配設されていることを特徴とする。
【発明の効果】
【００１６】
本発明の請求項１に記載のファンコンベクタによれば、コンベクタ本体の空気通路を流れる空気中の水分を除去するための除湿手段を備えているので、ファンコンベクタに除湿機能を付与し、空気中に含まれる水分を除去することができる。また、除湿手段は、吸湿域及び再生域を通して移動される除湿ロータを備え、空気通路を流れる空気中の水分は吸湿域にて除湿ロータの除湿剤に吸着され、また吸着された水分は再生域にて除湿剤から気体、例えば空気中に放出され、放出された水分を含む気体が再生用流路を通して凝縮器に流れ、この凝縮器にて水分が凝縮されて除去されるので、空気中の水分を連続的に除去することができる。また、暖房運転時には、開閉部材が第１の位置に位置するとともに、熱源機及びファン手段が作動される。従って、熱源機からの温熱媒体が熱交換器を通して循環され、吸入口の第１部分から吸入された空気は、空気通路を通して流れる間に熱交換器により加熱され、この加温された空気が吹出口から吹き出して室内を暖房することができる。更に、除湿運転時には、開閉部材が第２の位置に位置するとともに、除湿手段及びファン手段が作動される。従って、除湿手段の除湿ロータが吸湿域及び再生域を通して移動され、再生用流路を通して再生域に流れる気体は加熱手段によって加熱され、また再生域からの気体は再生用流路を通して凝縮器に流れて気体中の水分が凝縮され、このようにして除湿ロータの除湿剤の再生が行われる。更に、ファン手段によって吸入口の第２部分から吸入された空気は、熱交換器を通ることなく空気流路に流れ、吸湿域にて除湿ロータにより水分が吸湿され、水分が除去された空気が吹出口から吹き出して室内を除湿することができる。
また、本発明の請求項２に記載のファンコンベクタによれば、空気通路を流れるに除湿手段を備えているので、ファンコンベクタに除湿機能を付与し、空気中に含まれる水分を除去することができる。また、暖房運転時には、第１吸入口が開放されるとともに、熱源機及びファン手段が作動される。従って、熱源機からの温熱媒体が熱交換器を通して循環され、ファン手段によって第１吸入口から吸入された空気は、熱交換器及び空気通路を通して流れ、熱交換器を通して流れる間に加温された空気が吹出口から吹き出して室内を暖房することができる。また、除湿運転時には、第２吸入口が開放されるとともに、除湿手段及びファン手段が作動される。従って、除湿手段の除湿ロータは、吸湿域及び再生域を通して移動され、再生用流路を通して再生域に流れる気体は加熱手段によって加熱され、また再生域からの気体は再生用流路を通して凝縮器に流れて気体中の水分が凝縮され、このようにして除湿ロータの凝縮剤の再生が行われる。更に、ファン手段によって第２吸入口から吸入された空気は、熱交換器を通ることなく空気流路に流れ、吸湿域にて除湿ロータにより水分が吸湿され、水分が除去された空気が吹出口から吹き出して室内を除湿することができる。
また、本発明の請求項３に記載のファンコンベクタによれば、空気通路を流れるに除湿手段を備えているので、ファンコンベクタに除湿機能を付与し、空気中に含まれる水分を除去することができる。また、暖房運転時には、切換部材が第２の状態に保持されるとともに、熱源機及びファン手段が作動される。従って、熱源機からの温熱媒体が熱交換器を通して循環され、ファン手段によって吸入口から吸入された空気は、除湿ロータを通ることなく熱交換器及び空気通路を通して流れ、熱交換器を通して流れる間に加温された空気が吹出口から吹き出して室内を暖房することができる。また、除湿運転時には、切換部材が第１の状態に保持されるとともに、除湿手段及びファン手段が作動される。従って、除湿手段の除湿ロータは、吸湿域及び再生域を通して移動され、再生用流路を通して再生域に流れる気体は加熱手段によって加熱され、また再生域からの気体は再生用流路を通して凝縮器に流れて気体中の水分が凝縮され、このようにして除湿ロータの凝縮剤の再生が行われる。更に、ファン手段によって吸入口から吸入された空気は、空気流路及び除湿ロータを通して流れ、吸湿域にて除湿ロータにより水分が吸湿された空気が吹出口から吹き出して室内を除湿することができる。
【００１７】
また、本発明の請求項４に記載のファンコンベクタによれば、コンベクタ本体の空気通路を流れる空気中の水分を除去するための除湿手段を備えているので、ファンコンベクタに除湿機能を付与することができる。加えて、除湿手段は、吸湿域及び再生域を通して移動される吸湿ロータと、除湿ロータからの高温多湿の気体、例えば空気を低温低湿の気体に再生するための再生用流路とを備え、再生用流路の特定部位は熱交換器に関連して設けられ、更に、熱源機は、熱媒体を加温するための燃焼バーナと、熱媒体を送給するための送給ポンプを有している。暖房運転時には、熱源機の燃焼バーナ及び送給ポンプ並びにファン手段が作動される。従って、燃焼バーナにより生成された温熱媒体が熱交換器を通して循環され、ファン手段によって吸入口から吸入された空気は、空気通路を通して流れる間に熱交換器により加温され、加温された空気が吹出口から吹き出して室内を暖房することができる。また、除湿運転時には、熱源機の送給ポンプ、除湿手段及びファン手段が作動される。従って、熱源機からの冷熱媒体が熱交換器を通して循環され、除湿手段の除湿ロータは、吸湿域及び再生域を通して移動され、再生用流路を通して再生域に流れる気体は加熱手段によって加熱され、また再生用流路を流れる再生域からの気体は、特定部位を流れる間に熱交換器を流れる冷熱媒体の冷熱を利用して凝縮され、このようにして除湿ロータの除湿剤の再生が行われる。更に、ファン手段によって吸入口から吸入された空気は、空気流路及び除湿ロータを通して流れ、吸湿域にて除湿ロータにより水分が吸湿され、水分が除去された空気が吹出口から吹き出して室内を除湿することができる。
【００１８】
また、本発明の請求項５に記載のファンコンベクタによれば、再生用流路の特定部位に凝縮器が設けられているので、熱交換器を流れる媒体の冷熱を利用して利用して凝縮器を冷却し、この凝縮器において高温高湿の気体を低温低湿の気体に効率よく再生することができる。
【００１９】
また、本発明の請求項６に記載のファンコンベクタによれば、凝縮器が熱交換器と除湿ロータとの間に配設されているので、除湿すべき空気を熱交換器で冷却し、かく冷却した空気でもって凝縮器を冷却するので、簡単な構成でもって、高温多湿の気体を低温低湿の気体に再生することができる。
【発明を実施するための最良の形態】
【００２４】
以下、添付図面を参照して、本発明に従うファンコンベクタの各種実施形態について説明する。
第１の実施形態
まず、図１を参照して、第１の実施形態のファンコンベクタについて説明する。図１は、第１の実施形態のファンコンベクタを簡略的に示す断面図である。
【００２５】
図１において、図示のファンコンベクタは、室内に設置されるコンベクタ本体２を備え、このコンベクタ本体２の背面（図１において左面）略中央部に吸入口４が設けられ、その前面（図１において右面）下部に吹出口６が設けられ、この吸入口４と吹出口６とを接続するようにコンベクタ本体２内に空気通路８が設けられている。この空気通路８の下流側部、即ち吹出口６の内側にファン手段１０が設けられ、このファン手段は、送風用ファン１２とこの送風ファン１２を回転するための駆動モータ（図示せず）とを有している。送風用ファン１２は駆動モータによって矢印で示す所定方向に回動され、かく回動されることによって、太い矢印で示すように、室内の空気が吸入口４から吸入され、吸入された空気は空気通路８を通して吹出口６に導かれ、この吹出口６から室内に吹き出される。
【００２６】
この実施形態では、空気の流れ方向に見て空気流路８の略中央部に熱交換器１４が配設され、この熱交換器１４に関連して、屋外に熱源機１６が設置される。熱源機１６は送給ポンプ１８を含み、この熱源機１６の供給部と熱交換器１４の供給側とが供給ライン２０を介して接続され、またその戻り部と熱交換器１４の戻り側とが戻りライン２２を介して接続されている。このように構成されているので、熱源機１６が作動すると送給ポンプが作動し、熱源機１４にて生成された温水は、供給ライン２０を通して熱交換器１４に送給され、熱交換器１４内を所要の通りに流れた後に戻りライン２２を通して熱源機１４に戻され、このようにして熱源機１４からの温水が熱交換器１４を通して循環される。
【００２７】
このコンベクタ本体２内には、更に、空気中の水分を除去するための除湿手段２４が設けられている。図示の除湿手段２４は円板状の除湿ロータ２６と、除湿ロータ２６からの高温多湿の気体、例えば空気を低温低湿の気体に再生するための再生用流路２８と、気体中の水分を凝縮するための凝縮器３０と、気体を加熱するための加熱ヒータ３２（加熱手段を構成する）とを備えている、除湿ロータ２６には、図示していないが、水分を吸収する除湿剤が充填されている。この除湿ロータ２６は、駆動モータ（図示せず）によって矢印で示す方向に回動され、かく回動することによって吸湿域３４及び再生域３６を通して移動される。
【００２８】
凝縮器３０は、再生用流路２８における除湿ロータ２６の下流側に配設され、除湿ロータ２６と凝縮器３０の流入側とが再生用流路２８の第１再生流路３８により接続され、この第１再生流路３８に循環ファン４０が配設されている。また、凝縮器３０の流出側と除湿ロータ２６とが再生用流路２８の第２再生流路４２により接続され、この第２再生流路４２に、換言すると除湿ロータ２６の上流側に加熱ヒータ３２が配設されている。このように構成されているので、循環ファン４０が作動されると、気体（例えば、空気）が再生用流路２８、凝縮器３０及び加熱ヒータ３２を通して循環される。
【００２９】
この凝縮器３０では、吸湿経路の低温通路４４と再生経路の高温通路４６とが直交して配置され、低温経路４４には吸入口４から吸入された空気が流れ、凝縮器３０の低温経路４４を流れた空気が熱交換器１４に流れる。また高温通路４６には除湿ロータ２６の再生域３６からの高温多湿の気体が流れ、この高温多湿の空気が低温経路４４を流れる空気により冷却されるとともに、この空気中の水分が凝縮されて凝縮水となって除去される。
【００３０】
凝縮器３０の下方には溜め容器４８が配設されているとともに、凝縮器３０の底部には孔５０が設けられており、凝縮器３０にて凝縮した凝縮水は流下してその底部の孔５０から溜め容器４８に滴下して溜められる。
【００３１】
このファンコンベクタの動作を説明すると、次の通りである。暖房運転時には、コンベクタ本体２のファン手段１０及び熱源機１６が作動して室内の暖房が行われる（このとき、除湿手段２４は非作動状態に保持される）。熱源機１６においては、熱媒体（例えば、水）が温められて温熱媒体、例えば温水が生成されるとともに、送給ポンプ１８が作動して生成された温熱媒体（温水）が供給ライン２０、熱交換器１４及び戻りライン２２を通して循環される。また、コンベクタ本体２においては、ファン手段１０が作動して室内の空気が吸入口４を通して吸入され、かく吸入された空気が空気通路８を流れ、熱交換器１４にて温水との間で熱交換されて温められ、かく温められた空気が空気通路８を通して吹出口６から室内に吹き出され、このようにして温風によって室内の暖房が行われる（尚、このとき、空気通路８を流れる空気は、凝縮器３０の低温流路４４及び除湿ロータ２６の吸湿域３４をも流れる）。
【００３２】
また、除湿運転時には、コンベクタ本体２のファン手段１０、除湿ロータ２６及び除湿手段２４が作動して室内の除湿が行われる（このとき、熱源機１６は非作動状態に保持される）。コンベクタ本体２では、ファン手段１０が作動して室内の空気が吸入口４から吸入され、かく吸入された空気は凝縮器３０の低温流路４４、空気通路８及び除湿ロータ２６を通して流れ、空気中に含まれる水分が、吸湿域３４にて除湿ロータ２６の除湿剤に吸湿されて除去され、かく除湿された空気が空気通路８を通して吹出口６から室内に吹き出され、このようにして室内の除湿が行われる（尚、このとき、空気通路８を流れる空気は熱交換器１４をも流れる）。除湿ロータ２６は駆動モータ（図示せず）によって矢印の方向に回動され、吸湿域３４にて吸湿した除湿ロータ２６の除湿剤は再生域３６に移動して次のようにして再生される。
【００３３】
除湿手段２４においては、循環ファン４０が作動して気体が再生用流路２８を通して循環されるとともに、加熱ヒータ３２が作動して加熱された気体（例えば、空気）が除湿ロータ２６の再生域３６に流れる。再生域３６においては、高温の気体が送給されるので、吸湿剤中の水分が気体中に放出され、このようにして吸湿剤の再生が行われ、再生された吸湿剤が矢印方向に吸湿域３４に移動され、除湿ロータ２６においては、矢印方向の移動によって吸湿剤への吸湿及び吸湿剤の再生が連続的に行われる。
【００３４】
また、再生域３６にて水分を含んだ高温多湿の気体は、第１再生流路３８を通して凝縮器３０に送給され、この凝縮器３０の高温流路４６を流れる間に、その低温流路４４を流れる空気との間で熱交換されて冷却され、この気体中に含まれた水分が凝縮されて除去され、このようにして高温多湿の気体が低温低湿の気体に再生され、かく再生された気体は第２再生流路４２を通して加熱ヒータ３２に送給され、このようにして高温多湿の気体が低温低湿の気体に再生された後に加熱されて再生域３６に送られる。
【００３５】
上述したファンコンベクタでは、熱交換器１４に加えて除湿手段２４を備えているので、熱交換器１４に温熱媒体を流すことによって室内を暖房することができ、また除湿手段２４を作動することによって室内を除湿することができる。
【００３６】
第２の実施形態
次に、図２を参照して、第２の実施形態のファンコンベクタについて説明する。図２は、第２の実施形態のファンコンベクタを簡略的に示す断面図である。この第２の実施形態のファンコンベクタでは、除湿手段及び熱源機などに改良が施されている。尚、以下の実施形態において、第１の実施形態と実質上同一の部材には同一の参照番号を付し、その説明を省略する。
【００３７】
図２において、第２の実施形態のファンコンベクタでは、熱源機１６Ａにおいては、暖房運転時には温熱媒体（例えば、温水）を生成して送給ポンプ１８の作用によってこの温水を供給ライン２０、熱交換器１４及び戻りライン２２を通して循環するように構成されているとともに、除湿運転時には冷熱媒体（例えば、水）をそのまま送給ポンプ１８の作用によって供給ライン２０、熱交換器１４及び戻りライン２２を通して循環するように構成されている。
【００３８】
また、除湿手段２４Ａにおいては、凝縮器３０Ａが、空気通路８における熱交換器１４と除湿ロータ２６との間の部位に配設されている。従って、吸入口４から吸入された空気は、太い矢印で示すように、熱交換器１４を通った後に凝縮器３０Ａに流れ、その後除湿ロータ２６の吸湿域３４に流れる。また、循環ファン４０が再生用流路２８の第２再生流路４２に配設され、循環ファン４０により送給される気体（例えば、空気）が、加熱ヒータ３２により加熱された後に除湿ロータ２６の再生域３６に送給される。
【００３９】
更に、溜め容器４８にはドレインパイプ６２（ドレイン手段を構成する）が設けられ、このドレインパイプ６２が屋外まで延びている。このようにドレインパイプ６２が設けられているので、凝縮器３０Ａにて凝縮された凝縮水が孔５０を通して溜め容器４８に滴下すると、この滴下した水がドレインパイプ６２を通して屋外に排水され、かくして、排水のために溜め容器４８を取り出す必要がなくなる。この第２の実施形態のファンコンベクタのその他の構成は、上述した第１の実施形態のものと実質上同一である。
【００４０】
このファンコンベクタにおいては、暖房運転時は、第１の実施形態と同様に、コンベクタ本体２Ａのファン手段１０及び熱源機１６Ａが作動して室内の暖房が行われる（このとき、除湿手段２４Ａは非作動状態に保持される）。熱源機１６Ａにおいては、温熱媒体（温水）が生成されるとともに、送給ポンプ１８によって温熱媒体が供給ライン２０、熱交換器１４及び戻りライン２２を通して循環される。また、コンベクタ本体２Ａにおいては、ファン手段１０の作用によって室内の空気が吸入口４を通して吸入され、かく吸入された空気が熱交換器１４にて温熱媒体との間で熱交換されて温められ、かく温められた空気が空気通路８を通して吹出口６から吹き出されて室内の暖房が行われる。
【００４１】
また、除湿運転時には、コンベクタ本体２のファン手段１０、除湿ロータ２６及び除湿手段２４とともに熱源機１６Ａの送給ポンプ１８が作動して室内の除湿が行われる（このとき、熱源機１６の温熱媒体（例えば、温水）を生成するための手段、例えば燃焼バーナは非作動状態に保持される）。コンベクタ本体２では、ファン手段１０が作動して室内の空気が吸入口４から吸入され、かく吸入された空気は熱交換器１４、凝縮器３０Ａの低温流路４４、空気通路８及び除湿ロータ２６を通して流れ、空気中に含まれる水分が、吸湿域３４にて除湿ロータ２６の除湿剤に吸湿されて除去され、かく除湿された空気が空気通路８を通して吹出口６から室内に吹き出され、このようにして室内の除湿が行われる。
【００４２】
また、除湿ロータ２６は駆動モータ（図示せず）によって矢印の方向に回動され、吸湿域３４にて吸湿した除湿ロータ２６の除湿剤は再生域３６に移動して上述したと同様にして再生される。除湿手段２４においては、循環ファン４０が作動して気体が再生用流路２８を通して循環されるとともに、加熱ヒータ３２により加熱された気体（例えば、空気）が除湿ロータ２６の再生域３６に流れ、この再生域３６において、除湿剤中の水分が高温の気体中に放出され、このようにして吸湿剤の再生が行われる。そして、再生域３６からの高温多湿の気体は凝縮器３０Ａに送給され、この凝縮器３０Ａの高温流路４６を流れる間に、その低温流路４４を流れる空気との間で熱交換されて冷却され、この気体中に含まれた水分が凝縮されて除去され、このようにして高温多湿の気体が低温低湿の気体に再生される。このとき、熱源機１６Ａの送給ポンプ１８が作動して冷熱媒体（例えば、水）が供給ライン２０、熱交換器１４及び戻りライン２２を通して循環され、吸入口４からの空気は、熱交換器１４を通して流れる間に、熱源機１４からの冷熱媒体（水）との間で熱交換されて冷却され、かく冷却された空気が凝縮器３０Ａの低温流路４４を通して流れる。従って、除湿運転時に凝縮器３０Ａの低温流路４４を流れる空気の温度を低くすることができ、これによって、この低温流路４４の空気との熱交換によって高温流路４６を流れる高温の気体の温度を下げることができる。かくして、凝縮器３０Ａの凝縮効率が高められ、その結果、除湿ロータ２６の除湿効率を向上させることができる。
【００４３】
この実施形態では、熱交換器１４と吸湿ロータ２６との間に凝縮器３０Ａを配設し、熱交換器１４を流れる冷熱媒体（例えば、水）の冷熱を利用して凝縮器３０Ａの凝縮効率を高めているが、このような凝縮器３０Ａを用いることなく、次のように構成することもできる。即ち、再生用流路２８の特定部位を熱交換器１４に関連して設け、この熱交換機１４を流れる冷熱媒体（例えば、水）の冷熱を利用して上記特定部位を流れる高温多湿の気体を冷却するとともに、この気体中の水分を凝縮して低温低湿の気体に再生するようにしてもよい。尚、この場合、例えば再生用流路２８を規定する配管の一部を熱交換器１４の表面に沿って配設するようにすればよく、このようにした場合、配管の上記一部が再生用流路２８の上記特定部位として機能する。
【００４４】
第３の実施形態
次に、図３を参照して、第３の実施形態のファンコンベクタについて説明する。図３は、第３の実施形態のファンコンベクタにおけるコンベクタ本体を簡略的に示す断面図である。この第３の実施形態では、第１の実施形態のものと対比して、コンベクタ本体２Ｂ内を流れる空気の流れを切り換えるための切換部材が設けられている。
【００４５】
図３において、この第３の実施形態のファンコンベクタでは、空気通路８Ｂの空気の流れを切り換える切換部材７２が設けられ、この切換部材７２はコンベクタ本体２Ｂ内の熱交換器１４の下流側であって、除湿ロータ２６の下側に配設されている。この切換部材７２は、図３に実線で示す第１の状態と図３に一点鎖線で示す第２の状態とに切換可能に構成されている。第１の状態においては、切換部材７２は略垂直上方に延びて除湿ロータ２６の下方を塞ぎ、空気流路８Ｂを流れる空気は、太い矢印で示すように、除湿ロータ２６の吸湿域３４に流れ、この吸湿域３４を通った後に空気流路８Ｂを流れて吹出口６から室内に吹き出す。また、第２の状態においては、切換部材７２はコンベクタ本体２Ｂの底壁に沿って略水平に延びて除湿ロータ２６の下方を開放し、空気流路８Ｂを流れる空気は、一点鎖線の矢印で示すように、除湿ロータ２６の下方の空気通路８Ｂを通り吹出口６から室内に吹き出す。第３の実施形態におけるその他の構成は、上述した第１の実施形態と実質上同一である。
【００４６】
このファンコンベクタにおいては、暖房運転時は、切換部材７２は上記第２の状態に保持される。従って、ファン手段１０の作用によって吸入口４を通して吸入された空気は、熱交換器１４にて温熱媒体との間で熱交換されて温められ、かく温められた空気が空気通路８Ｂを通して吹出口６から吹き出される。従って、このときには、熱交換機１４からの温められた空気は除湿ロータ２６の吸湿域３４に流れることはなく、除湿ロータ２６による圧力損失を防止して暖房時の運転効率を高めることができる。
【００４７】
また、除湿運転時には、切換部材７２は上記第１の状態に保持される。従って、ファン手段１０の作用によって吸入口４を通して吸入された空気は、熱交換器１４、除湿ロータ２６の吸湿域３４を通して流れ、第１の実施形態と同様にして除湿ロータ２６の吸湿域３４にて空気中の水分が除湿剤に吸湿され、除湿された空気が吹出口６から噴出され、このようにして室内の除湿が行われる。
【００４８】
第４の実施形態
次いで、図４及び図５を参照して、第４の実施形態のファンコンベクタについて説明する。図４は、第４の実施形態のファンコンベクタにおける開閉部材を第１の位置に位置付けたときの状態を示す簡略断面図であり、図５は、図４のファンコンベクタにおける開閉部材を第２の位置に位置付けたときの状態を示す簡略断面図である。この第４の実施形態では、吸入口に開閉部材を設けて空気流路に吸入される空気の流れを切り換えている。
【００４９】
図４及び図５において、この第４の実施形態のファンコンベクタでは、コンベクタ本体２Cの背面に吸入口４Cが上下方向に大きく設けられ、この吸入口４Cの内側に開閉部材８２が設けれている。開閉部材８２はプレート状であり、図４に示す第１の位置と図５に示す第２の位置との間を移動自在に配設される。第１の位置に位置するときには、図４に示すように、開閉部材８２は吸入口４Cの下部に位置してその上部（第１の部分を構成する）を開放し、吸入口４Ｃの上部（第１の部分）から空気の吸入が行われる。また、第２の位置に位置するときには、図５に示すように、開閉部材８２は吸入口４Ｃの上部に位置してその下部（第２の部分を構成する）を開放し、吸入口４Ｃの下部（第２の部分）からの空気の吸入が行われる。
【００５０】
開閉部材８２が第１の位置と第２の位置との間を移動自在であることに関連して、コンベクタ本体２Ｃの上下方向略中間部に第１仕切り壁８４及び第２仕切り壁８６が設けられている。第１仕切り壁８４は、コンベクタ本体２Ｃ内の吸入口４Ｃ側に設けられ、第２仕切り壁８６は、コンベクタ本体２Ｃの吹出口６Ｃ側に設けられ、第１仕切り壁８４と第２仕切り壁８６との間に開口８８が設けられている。このように構成されているので、空気通路８Cの上流側部は二つに分岐され、その一方の分岐通路は第１仕切り壁８４の上側に延び、その他方の分岐通路は第１仕切り壁８４の下側に延びている。
【００５１】
また、第１仕切り壁８４の上側（即ち、一方の分岐通路）に熱交換器１４が配設され、第２仕切り壁８６の一端側（開口８８を規定する側）は熱交換器１４に向けて上方に延びている。更に、第２仕切り壁８６の下側に除湿手段２４が配設され、空気の流れ方向に見て除湿手段２４の下流側にファン手段１０が配設されている。この第４の実施形態のファンコンベクタのその他の構成は、上述した第２の実施形態ともの実質上同一である。
【００５２】
また、除湿運転時には、開閉部材８２は上記第２の位置に保持される。従って、ファン手段１０の作用によって吸入口４Cの第２部分（下部）を通して吸入された空気は、図５に太い矢印で示すように、除湿手段２４（具体的には、凝縮器３０及び除湿ロータ２６の吸湿域３４）を通して流れ、第２の実施形態と同様にして除湿ロータ２６の吸湿域３４にて空気中の水分が除湿剤に吸湿され、除湿された空気が吹出口６Cから噴出され、このようにして室内の除湿が行われる。このときには、吸入口４Cの第２の部分から吸入された空気は熱交換機１４を通ることなく除湿手段２４に流れ、従って、熱交換器１４による圧力損失を防止して除湿運転時の運転効率を高めることができる。
【００５３】
また、除湿運転時には、開閉部材８２は上記第２の位置に保持される。従って、ファン手段１０の作用によって吸入口４Cの第２の部分（下部）を通して吸入された空気は、図５に太い矢印で示すように、除湿手段２４（具体的には、凝縮器３０及び除湿ロータ２６の除湿域３４）を通して流れ、第２の実施形態と同様にして除湿ロータ２６の除湿域３４にて空気中の水分が除湿剤に吸湿され、除湿された空気が吹出口６Cから噴出され、このようにして室内の除湿が行われる。このときには、吸入口４Cの第２の部分から吸入された空気は熱交換機１４を通ることなく除湿手段２４に流れ、従って、熱交換器１４による圧力損失を防止して除湿運転時の運転効率を高めることができる。
【００５４】
この第４の実施形態では、熱交換器１４をコンベクタ本体２C内の上側に、除湿手段２４をその下側に配置し、吸入口４Cの上部を第１の部分として作用し、その下部を第２の部分として作用するように構成しているが、これとは反対に、熱交換器１４をコンベクタ本体２C内の下側に、除湿手段２４をその上側に配置し、吸入口４Cの下部を第１の部分として作用し、その上部を第２の部分として作用するように構成するようにしてもよい。
【００５５】
以上、本発明に従うファンコンベクタの各種実施形態について説明したが、本発明はこれら実施形態に限定されるものではなく、本発明の範囲を逸脱することなく種々の変更乃至修正が可能である。
【００５６】
例えば、第４の実施形態では、一つの吸入口４Cに開閉部材８２を設け、この開閉部材８２を第１の位置及び第２の位置に選択的に位置付けて吸入される空気の流れを切り換えているが、このように構成することに代えて、吸入口を別個に二つ設けて吸入される空気の流れを切り換えるようにしてもよい。この場合、空気を吸入する吸入口をコンベクタ本体の第１部位に設けた第１吸入口とコンベクタ本体の第２部位に設けた第２吸入口とから構成し、第１吸入口に第１開閉部材を開閉自在に、また第２吸入口に第２開閉部材を開閉自在に設けることができる。そして、第１吸入口を通して吸入された空気は、第４の実施形態における図４に示す状態と同様に、熱交換器を通して空気通路に流れるように構成し、また第２吸入口を通して吸入された空気は、第４の実施形態における図５に示す状態と同様に、熱交換器を通ることなく空気通路に流れるように構成される。このようなファンコンベクタでは、暖房運転時には、第１開閉部材が開状態となって第１吸入口が開放され（このとき、第２開閉部材が閉状態となって第２吸入口が閉塞される）、第１吸入口を通して吸入された空気は、熱交換器にて熱交換により暖められて空気通路を流れる。また、除湿運転時には、第２開閉部材が開状態となって第２吸入口が開放され（このとき、第１開閉部材が閉状態となって第１吸入口が閉塞される）、第２吸入口を通して吸入された空気は、熱交換器を通ることなく除湿手段の除湿ロータの吸湿域にて除湿されて空気通路を流れる。このような構成のファンコンベクタにおいても、上記第４の実施形態のものと略同様の作用効果が達成される。
【図面の簡単な説明】
【００５７】
【図１】第１の実施形態のファンコンベクタを簡略的に示す断面図。
【図２】第２の実施形態のファンコンベクタを簡略的に示す断面図。
【図３】第３の実施形態のファンコンベクタにおけるコンベクタ本体を簡略的に示す断面図。
【図４】第４の実施形態のファンコンベクタにおける開閉部材を第１の位置に位置付けたときの状態を示す簡略断面図。
【図５】図４のファンコンベクタにおける開閉部材を第２の位置に位置付けたときの状態を示す簡略断面図。
【符号の説明】
【００５８】
２，２Ａ，２Ｂ，２Ｃ  コンベクタ本体
４，４Ｃ  吸入口
６，６Ｃ  吹出口
８，８Ｂ，８Ｃ  空気通路
１０  ファン手段
１６  熱源機
２４，２４Ａ  除湿手段
２６  除湿ロータ
２８  再生用流路
３０  凝縮器
３２  加熱ヒータ（加熱手段）
３４  吸湿域
３６  再生域
７２  切換部材
８８  開閉部材
【図１】
0005060929.tif 000002
【図２】
0005060929.tif 000003
【図３】
0005060929.tif 000004
【図４】
0005060929.tif 000005
【図５】
0005060929.tif 000006